(57)【要約】【課題】  他人に不快な警報音を発することなく心地良い鳴き声やメロディーを鳴らすことができ、その形状やメロディーも様々な自転車用警報器を提供する。【解決手段】  自転車４のハンドル５に取り付けるためのブラケット２が一体に形成され所定の動物の形状をなした本体１と、前記本体１の内部空間に収納された音声発生装置１０とからなり、前記音声発生装置１０は、駆動用の電池１１と、前記電池１１と直列に接続されたスイッチ１２と、前記スイッチ１２に接続され動物の鳴き声をアナログ信号として発生する音声発生回路１３と、前記音声発生回路１３で発生したアナログ信号を増幅する増幅回路１４と、前記増幅回路１４で増幅したアナログ信号を音声に変換するスピーカ１５とを備え、前記スイッチ１２がオンされた場合に、所定の動物の鳴き声を発する構成とした。【選択図】        図１
0003108466.tif 000002
【実用新案登録請求の範囲】
【請求項１】
自転車のハンドルに取り付けるためのブラケットが一体に形成され、動物の形状をなした本体と、前記本体の内部空間に収納された音声発生装置とからなり、
前記音声発生装置は、駆動用の電池と、前記電池と直列に接続されたスイッチと、前記スイッチに接続され動物の鳴き声をアナログ信号として発生する音声発生回路と、前記音声発生回路で発生したアナログ信号を増幅する増幅回路と、前記増幅回路で増幅したアナログ信号を音声に変換するスピーカとを備え、
前記スイッチがオンされた場合に、所定の動物の鳴き声を発することを特徴とする自転車用警報器。
【請求項２】
自転車のハンドルに取り付けるためのブラケットが一体に形成され、アニメのキャラクタまたは乗物の形状をなした本体と、前記本体の内部空間に収納された音声発生装置とからなり、
前記音声発生装置は、駆動用の電池と、前記電池と直列に接続されたスイッチと、前記スイッチに接続されアニメのキャラクタまたは乗物の音をアナログ信号として発生する音声発生回路と、前記音声発生回路で発生したアナログ信号を増幅する増幅回路と、前記増幅回路で増幅したアナログ信号を音声に変換するスピーカとを備え、
前記スイッチは前記自転車のハンドルのグリップ近傍に取り付けられ、前記スイッチがオンされた場合に、所定のアニメのキャラクタまたは乗物の音を発することを特徴とする自転車用警報器。
【考案の詳細な説明】
【技術分野】
【０００１】  本考案は、自転車用警報器に係り、特に音声発生回路を備え警報音をメロディーまたは動物の鳴き声を発することができる自転車用警報器に関する。
【技術分野】
【０００２】  自転車用警報器は、一般的にはハンドルに取り付けられたベル装置で構成されている。このベル装置は、ベルの側方に突出した操作レバーを人差指で進行方向の前後方向に揺動操作し、この揺動操作によりベル内部でラックとピニオンを介して回転ゴマを回転させ、回転ゴマの重錘をベルに打撃してベルを鳴らすものである。【０００３】  このようなベル装置は、ベルの打撃音で歩行者などに警報するものであるから、歩行者にとってはうるさく耳障りに感じるので、不快感を抱くこともあり、混雑した場所ではいらいら感をつのらせるので、トラブルが発生することもあった。また、自転車の乗者も走行しながら指で操作レバーを操作するので子供や年配者にとっては操作しずらく、この操作に気を取られて運転が危うくなるという問題も発生した。【０００４】  そこで、この問題を解決する手段として、操作レバーを操作する必要のないブザーを使用した自転車用警報器（特公昭５２−２９９１３号公報）があった。このブザー式の自転車用警報器はバッテリを備え、電気的にブザーを鳴らすものである。
【特許文献１】    特公昭５２−２９９１３号公報
【考案の開示】
【考案が解決しようとする課題】
【０００５】  しかしながら、上述したブザー式の自転車用警報器では、機械的なブザー音であり、歩行者などにとっては不快な音になっていた。また、この自転車用警報器の形状も三角形状であり、特別に興味を引く形状でもなかった。【０００６】  本考案は、上述した問題を解決するためなされたもので、他人に不快な警報音を発することなく心地良い鳴き声やメロディーを鳴らすことができ、その形状やメロディーも様々な自転車用警報器を提供するものである。
【課題を解決するための手段】
【０００７】  本考案に係る自転車用警報器は、自転車のハンドルに取り付けるためのブラケットが一体に形成され所定の動物の形状をなした本体と、前記本体の内部空間に収納された音声発生装置とからなり、前記音声発生装置は、駆動用の電池と、前記電池と直列に接続されたスイッチと、前記スイッチに接続され動物の鳴き声をアナログ信号として発生する音声発生回路と、前記音声発生回路で発生したアナログ信号を増幅する増幅回路と、前記増幅回路で増幅したアナログ信号を音声に変換するスピーカとを備え、前記スイッチがオンされた場合に、所定の動物の鳴き声を発することを特徴とするものである。【０００８】  また、本考案の自転車用警報器は、自転車のハンドルに取り付けるためのブラケットが一体に形成され、アニメのキャラクタまたは乗物の形状をなした本体と、前記本体の内部空間に収納された音声発生装置とからなり、前記音声発生装置は、駆動用の電池と、前記電池と直列に接続されたスイッチと、前記スイッチに接続されアニメのキャラクタまたは乗物の音をアナログ信号として発生する音声発生回路と、前記音声発生回路で発生したアナログ信号を増幅する増幅回路と、前記増幅回路で増幅したアナログ信号を音声に変換するスピーカとを備え、前記スイッチは前記自転車のハンドルのグリップ近傍に取り付けられ、前記スイッチがオンされた場合に、所定のアニメのキャラクタまたは乗物の音を発することを特徴とするものである。
【考案の効果】
【０００９】  上述のように構成された本考案の自転車用警報器は、自転車のハンドルに取り付けるためのブラケットが一体に形成され所定の動物の形状をなした本体と、前記本体の内部空間に収納された音声発生装置とからなり、前記音声発生装置は、電池と、前記電池と直列に接続されたスイッチと、前記スイッチに接続され動物の鳴き声をアナログ信号として発生する音声発生回路と、前記音声発生回路で発生したアナログ信号を増幅する増幅回路と、前記増幅回路で増幅したアナログ信号を音声に変換するスピーカとを備え、前記スイッチがオンされた場合に、所定の動物の鳴き声を発することにより、動物の鳴き声で歩行者などに優しく自転車の接近を知らせることができるという効果を奏する。【００１０】  また、自転車の乗者も、従来のように走行中に力を入れて操作レバーを揺動するといった動作が必要ないので、安全であり、子供や年配者にも簡単に操作できるという効果を奏する。さらに、ハンドルのグリップを握った手許でスイッチを操作できるので、グリップを放す必要がなく、一層安全である。
【考案の実施するための最良の形態】
【００１１】  本考案に係る自転車用警報器を実施するための最良の形態を図に基づいて説明する。
図１は本考案に係る自転車用警報器の実施の形態を示す一部破断の正面図、図２は図１の自転車用警報器に使用する音声発生装置の構成を示すブロック図、図３は自転車用警報器の実施例を示す平面図、図４は自転車用警報器の実施例を示す斜視図、図５は自転車用警報器の実施例を示す斜視図である。
【００１２】  本考案に係る自転車用警報器Ａは、図１に示すように、自転車のハンドルに取り付けるためのブラケット２が一体に形成され、所定の動物の形状である鳥の形状した本体１と、この本体１の内部空間に収納された音声発生装置１０とから構成されている。本体１の内部空間に収納された音声発生装置１０は、図２に示すように、駆動用の電池１１と、前記電池１１と直列に接続されたスイッチ１２と、前記スイッチ１２に接続され鳥獣の鳴き声をアナログ信号として発生する音声発生回路１３と、前記音声発生回路１３で発生したアナログ信号を増幅する増幅回路１４と、前記増幅回路１４で増幅したアナログ信号を音声に変換するスピーカ１５とを備えたものである。
【００１３】  本体１は、合成樹脂材料から射出成形などにより鳥の形状に成形されたもので、下部には一体に自転車にハンドルに取り付けるためのブラケット２が形成されている。この本体１は、内部に音声発生装置１０を収納するための空間部が形成されており、また、音声発生装置１０を組み込むため中間より上部１ａと下部ｂに分離できるようになっている。この本体１の上部１ａと下部ｂの合わせは、ねじ止めや嵌合で行なう。
【００１４】  本体１の下部１ｂに形成されたブラケット２は、ハンドル５を貫通させる空洞部２ａが形成されており、ハンドル５の様々な太さを吸収するために先端部２ｂはばね性を持たせるために本体と分離されている。また、ハンドル５に固定できるようにねじ孔２ｃが形成され、固定ねじ３で固定するようになっている。また、本体１の内部には、音声発生装置１０を収納して固定するために図示しないガイドや溝などが形成されている。
【００１５】  本体１の内部に収納された音声発生装置１０は、駆動用の電池１１と、前記電池１１と直列に接続されたスイッチ１２と、前記スイッチ１２に接続され鳥獣の鳴き声をアナログ信号として発生する音声発生回路１３と、前記音声発生回路１３で発生したアナログ信号を増幅する増幅回路１４と、前記増幅回路１４で増幅したアナログ信号を音声に変換するスピーカ１５とを備えたものである。
【００１６】  駆動用の電池１１は、小型化のためアルカリ乾電池を通常は２〜３本使用する。電池交換の時期は使用頻度にもよるがほぼ年１回をメドにするものである。スイッチ１２は、本体１の外部から操作できるように、スイッチ１２の操作つまみを本体１の外側へ露出してある。このスイッチ１２はスライドタイプでもプッシュタイプのスイッチでも使用可能である。音声発生回路１３は、所定の動物の鳴き声を記憶したＲＯＭなどを内蔵した公知の音声発生回路であり、このＲＯＭを交換することにより種々の動物の鳴き声に対応できるものである。増幅回路１４は音声発生回路１３で発生したアナログ信号を増幅するもので、この増幅回路１４の増幅度で様々な音量にできるものである。この増幅回路１４と音声発生回路１３と一緒の基板上に形成できるものである。スピーカ１５は所望する音量により適切な出力のものを選択できるものである。
【００１７】  このように構成された自転車用警報器Ａは、ブラケット２により自転車４のハンドル５に取り付けられる。そして、警報の必要な場合にスイッチ１２をオンすると、音声発生回路１３に内蔵されたＲＯＭより、記憶されていた小鳥の鳴き声が発生され、増幅回路１４で増幅されてスピーカ１５から外部に警報音として発するものである。この警報音を聞いた歩行者は不快になることなく、快く自転車の走路を譲ってもらうことができる。
【００１８】  また、図３に示す自転車用警報器Ｂは、前述した自転車用警報器Ａと同様に、自転車のハンドル５に取り付けるためのブラケット２が一体に形成され、所定の動物の形状である鳥の形状した本体１と、この本体１の内部空間に収納された音声発生装置２０とから構成されている。本体１の内部空間に収納された音声発生装置２０には、前述の音声発生装置２０と同様に、電池、スイッチ、音声発生回路、増幅回路、スピーカを備えているが、スイッチ２２は本体１からリード線２１によって引き出され、ハンドル５のグリップ６の根元に取り付けられている。
【００１９】  このように構成された自転車用警報器Ｂは、スイッチ２２がグリップ６の根元にあるので、グリップ６を握った場合に手許でスイッチ２２を操作できるので、警報器を鳴らすためにグリップ６を放す必要がなく、安全に操作できるものである。そして、自転車用警報器Ａと同様に、スイッチ２２をオンすると、音声発生回路に内蔵されたＲＯＭより、記憶されていた小鳥の鳴き声が発生され、増幅回路で増幅されてスピーカから外部に警報音として発するものである。この警報音を聞いた歩行者は不快になることなく、快く自転車の走路を譲ってもらうことができる。
【００２０】  また、図４に示す自転車用警報器Ｃは、本体１の形状を動物の犬の形状にしたもので、ブラケット２が一体に形成されている。この本体１の内部には、前述した自転車用警報器Ａと同様に、電池、スイッチ、音声発生回路、増幅回路、スピーカを備えた音声発生装置１０が収納されている。そして、ブラケット２は、固定ねじ３によりハンドル５に取り付けられるものである。
【００２１】  また、図５に示す自転車用警報器Ｄは、本体１の形状を動物の犬の形状にしたもので、ブラケット２が一体に形成されている。この本体１の内部には、前述した自転車用警報器Ａと同様に、電池、スイッチ、音声発生回路、増幅回路、スピーカを備えた音声発生装置１０が収納されている。そして、ブラケット２は、固定ねじ３によりハンドル５に取り付けられるものである。
【００２２】  尚、本考案に係る自転車用警報器は、上述した実施の形態に限定されるものではなく、請求の範囲内にて様々な態様ができることは勿論である。
例えば、本体の形状は鳩や雀のような小鳥でなく鷹などの猛禽類でもよく、さらに虎や象などの大型の動物でもよいことは勿論である。そして、アニメのキャラクタは子供達に人気のあるドラエモンやハローキティちゃんを始め様々なキャラクタにすることができることは勿論である。また乗物の形状としては飛行機や自動車など、あらゆる形状のものが可能であることは勿論である。さらにまた、本体の材料も合成樹脂だけでなく金属材料で成形し本体と別体にしてもよいことは勿論である。
【図面の簡単な説明】
【００２３】
【図１】本考案に係る自転車用警報器の実施の形態を示す一部破断の正面図である。
【図２】図１の自転車用警報器に使用する音声発生装置の構成を示すブロック図である。
【図３】本考案の自転車用警報器の実施例を示す平面図である。
【図４】本考案の自転車用警報器の実施例を示す斜視図である。
【図５】本考案の自転車用警報器の実施例を示す斜視図である。
【符号の説明】
【００２４】Ａ        自転車用警報器
Ｂ        自転車用警報器
Ｃ        自転車用警報器
Ｄ        自転車用警報器
１        本体
１ａ      上部
１ｂ      下部
２        ブラケット
２ａ      空洞部
２ｂ      先端部
２ｃ      ねじ孔
３        固定ねじ
４        自転車
５        ハンドル
６        グリップ
１０      音声発生装置
１１      電池
１２      スイッチ
１３      音声発生回路
１４      増幅回路
１５      スピーカ
２０      音声発生装置
２１      リード線
２２      スイッチ
【図１】
0003108466.tif 000003
【図２】
0003108466.tif 000004
【図３】
0003108466.tif 000005
【図４】
0003108466.tif 000006
【図５】
0003108466.tif 000007